(57)【要約】【課題】画像データが間違った宛先に送信されるのを防ぐことができる通信端末装置を提供する。【解決手段】通信端末装置３１は、相手先に送信すべき画像データを確認モードで送信可能であり、確認モードで画像データを送信する場合に相手先から画像データの送信を要求するアクセスがあるまで画像データを送信せずに蓄積する蓄積手段３９と、確認モードで画像データを送信する場合に発信元のアクセス情報を含む画像データ取出情報を相手先に通知する通知手段４１と、通知手段４１で画像データ取出情報を通知した後に画像データの送信を要求するアクセスをしてきた通信端末が相手先であるかを確認する確認手段４３と、確認手段４３で相手先であると確認されると蓄積手段３９に蓄積された画像データを相手先に送信するのを許可する許可手段４５と、を備える。【選択図】図６
2007110591.tif 000002
【特許請求の範囲】
【請求項１】
相手先に送信すべき画像データを確認モードで送信可能な通信端末装置であって、
前記確認モードで画像データを送信する場合に前記相手先から画像データの送信を要求するアクセスがあるまで画像データを送信せずに蓄積する蓄積手段と、
前記確認モードで画像データを送信する場合に発信元のアクセス情報を含む画像データ取出情報を前記相手先に通知する通知手段と、
前記通知手段で前記画像データ取出情報を通知した後に画像データの送信を要求するアクセスをしてきた通信端末が前記相手先であるかを確認する確認手段と、
前記確認手段で前記相手先であると確認されると前記蓄積手段に蓄積された画像データを前記相手先に送信するのを許可する許可手段と、を備える
ことを特徴とする通信端末装置。
【請求項２】
前記確認モードに設定する設定手段と、
前記設定手段で前記確認モードに設定されているか否かを判断する判断手段と、をさらに備え、
前記判断手段で前記確認モードに設定されていると判断された場合、前記蓄積手段は前記相手先から画像データの送信を要求するアクセスがあるまで画像データを送信せずに蓄積すると共に前記通知手段は前記相手先に前記画像データ取出情報を通知する
ことを特徴とする請求項１に記載の通信端末装置。
【請求項３】
相手先に送信すべき画像データを確認モードで送信可能な通信端末装置であって、
前記確認モードに設定する設定手段と、
前記設定手段で前記確認モードに設定されているか否かを判断する判断手段と、
前記判断手段で前記確認モードに設定されていると判断された場合、前記相手先から画像データの送信を要求するアクセスがあるまで画像データを送信せずに蓄積する蓄積手段と、
前記判断手段で前記確認モードに設定されていると判断された場合、発信元のアクセス情報を含む画像データ取出情報を前記相手先に通知する通知手段と、を備える
ことを特徴とする通信端末装置。
【請求項４】
前記通知手段は、前記判断手段で前記確認モードに設定されていると判断された場合でも、相手先が予め登録された相手先であるときは、前記確認モードを適用せず、前記画像データ取出情報を通知しない
ことを特徴とする請求項２又は３に記載の通信端末装置。
【請求項５】
前記画像データ取出情報は、画像データの取り出し方の説明を含む
ことを特徴とする請求項１〜４のいずれか一項に記載の通信端末装置。
【発明の詳細な説明】
【技術分野】
【０００１】
本発明は、例えばファクシミリ装置のような通信端末装置に関する。
【背景技術】
【０００２】
従来より、原稿が間違った宛先に送信されるのを防ぐファクシミリ装置が提案されている（例えば特許文献１参照）。これによれば、（１）発信元のファクシミリ装置に、相手先のファクシミリ装置のＦＡＸ番号と共に相手先のファクシミリ装置のＩＤを入力し、（２）発信元のファクシミリ装置は、上記ＦＡＸ番号により相手先のファクシミリ装置と通信して、この装置から送られてきたＩＤが（１）で入力したＩＤと同じなら、原稿を送信するようにしている。
【特許文献１】特開２０００−６６９７２号公報
【発明の開示】
【発明が解決しようとする課題】
【０００３】
しかし、この技術では発信元のファクシミリ装置の要求に基づいて、相手先のファクシミリ装置が発信元のファクシミリ装置にＩＤを送るので、相手先のファクシミリ装置もこの技術に対応するための新たなシステムを導入する必要があった。
【０００４】
ところで、相手先にセットされている原稿をこちら側から指示して送信させることをポーリングと称する。この送信においても、画像データが間違った宛先に送信されるのを防止する必要がある。
【０００５】
本発明の目的は、画像データが間違った宛先に送信するのを防ぐことができる通信端末装置を提供することである。
【課題を解決するための手段】
【０００６】
本発明に係る通信端末装置の一態様は、相手先に送信すべき画像データを確認モードで送信可能な通信端末装置であって、前記確認モードで画像データを送信する場合に前記相手先から画像データの送信を要求するアクセスがあるまで画像データを送信せずに蓄積する蓄積手段と、前記確認モードで画像データを送信する場合に発信元のアクセス情報を含む画像データ取出情報を前記相手先に通知する通知手段と、前記通知手段で前記画像データ取出情報を通知した後に画像データの送信を要求するアクセスをしてきた通信端末が前記相手先であるかを確認する確認手段と、前記確認手段で前記相手先であると確認されると前記蓄積手段に蓄積された画像データを前記相手先に送信するのを許可する許可手段と、を備える。
【０００７】
本発明に係る通信端末装置の一態様において、前記確認モードに設定する設定手段と、前記設定手段で前記確認モードに設定されているか否かを判断する判断手段と、をさらに備え、前記判断手段で前記確認モードに設定されていると判断された場合、前記蓄積手段は前記相手先から画像データの送信を要求するアクセスがあるまで画像データを送信せずに蓄積すると共に前記通知手段は前記相手先に前記画像データ取出情報を通知するようにすることができる。
【０００８】
本発明に係る通信端末装置の他の態様は、相手先に送信すべき画像データを確認モードで送信可能な通信端末装置であって、前記確認モードに設定する設定手段と、前記設定手段で前記確認モードに設定されているか否かを判断する判断手段と、前記判断手段で前記確認モードに設定されていると判断された場合、前記相手先から画像データの送信を要求するアクセスがあるまで画像データを送信せずに蓄積する蓄積手段と、前記判断手段で前記確認モードに設定されていると判断された場合、発信元のアクセス情報を含む画像データ取出情報を前記相手先に通知する通知手段と、を備える。
【０００９】
本発明に係る通信端末装置において、前記通知手段は、前記判断手段で前記確認モードに設定されていると判断された場合でも、相手先が予め登録された相手先であるときは、前記確認モードを適用せず、前記画像データ取出情報を通知しないようにすることができる。
【００１０】
本発明に係る通信端末装置において、前記画像データ取出情報は、画像データの取り出し方の説明を含むようにすることができる。
【発明の効果】
【００１１】
本発明に係る通信端末装置の一態様によれば、確認モードで相手先に画像データを送信する場合、画像データ送信前に相手先に画像データ取出情報を通知し、そして、通知後に画像データの送信を要求するアクセスをしてきた通信端末が相手先であるかを確認してから相手先に画像データを送信する。したがって、画像データが間違った宛先に送信されるのを防ぐことができ、ユーザは通常の送信操作と同様の操作をするだけでよい。
【００１２】
本発明に係る通信端末装置の他の態様によれば、相手先に送信すべき画像データを確認モードで送信することを設定でき、そして相手先への画像データの送信がそれに該当するか判断し、該当すると画像データ取出情報を相手先に通知する。この情報には、発信元のアクセス情報が含まれる。したがって、画像データが間違った宛先に送信されるのを防ぐことができ、ユーザは通常の送信操作と同様の操作をするだけでよい。
【発明を実施するための最良の形態】
【００１３】
本発明の実施形態について図面を用いて説明する。図１は、本実施形態に係るデジタル複合機１の構成を示すブロック図である。デジタル複合機１は、コピー、プリンタ、スキャナ及びファクシミリの機能を有する。ファクシミリ機能により、デジタル複合機１は通信端末装置として用いることができる。
【００１４】
デジタル複合機１は、制御部３、画像読取部５、画像記録部７、表示部９、操作部１１、モデム１３、ＮＣＵ１５、ＲＯＭ１７、ＲＡＭ１９、画像メモリ２１、コーデック２３、ＬＡＮインターフェース２５等が相互にバス２７で接続された構成を有する。制御部３は、例えばＣＰＵにより実現されており、デジタル複合機１を構成する上記ハードウェアを制御すると共にデジタル複合機１の動作に必要なソフトウェアを実行する。
【００１５】
画像読取部５は、ＣＣＤ等によって画像（文字、図、写真等）を読み取って画像データとして出力する。画像記録部７は、電子写真方式等のプリンタであり、画像読取部５から出力された画像データやファクシミリ通信により受信した別のファクシミリ装置からの画像データを画像に戻し、この画像が記録された用紙を出力する。
【００１６】
表示部９は、デジタル複合機１の動作状態、相手先名、各種設定内容等を表示する。表示部９は、ＬＣＤ、ＣＲＴ等で実現される。操作部１１は、デジタル複合機１の操作に必要なキー（テンキー、短縮キー、ワンタッチキー、スタートキー、リセットキー、各種のファンクションキー等）を備える。
【００１７】
モデム１３は、通常のファクシミリ通信用のファックスモデムの機能を有する。また、モデム１３は、ＮＣＵ１５と直接に接続されている。ＮＣＵ１５は、公衆電話回線Ｌを閉結及び開放する機能の他に、通信相手の電話番号に応じたダイヤルパルスを送出する機能及び着信を検出する機能を有する。また、ＮＣＵ１５は、モデム１３を必要に応じて公衆電話回線Ｌに接続する。
【００１８】
ＲＯＭ１７は、デジタル複合機１の動作に必要なソフトウェアを記憶している。ＲＡＭ１９は、ＳＲＡＭ、ＤＲＡＭ、フラッシュメモリ等により実現されており、ソフトウェアの実行時に発生するデータを一時的に記憶する。
【００１９】
画像メモリ２１は、ＤＲＡＭ等で実現されており、送信すべき画像データ、受信した画像データ、画像読取部５から出力された画像データ等を一時的に記憶する。コーデック２３は、画像データを符号化圧縮すると共に符号化圧縮されている画像データを復号する。ＬＡＮインターフェース２５は、デジタル複合機１がＬＡＮと通信可能に接続するインターフェースである。
【００２０】
次に、図２を参照して本実施形態に係る通信に使用される端末どうしの関係を説明する。発信元の通信端末３１は、本実施形態に係る通信端末装置である。図１のデジタル複合機１が発信元の通信端末３１となる。相手先の通信端末３３は、発信元の通信端末３１から画像データを送信する相手先の端末である。ファクシミリ機能を有する通信端末装置が相手先の通信端末３３となる。
【００２１】
本実施形態に係る通信端末装置の動作について、図１〜図４を参照して説明する。図３及び図４は、本実施形態に係る通信端末装置の動作の一例のフローチャートである。まず、確認モードにより画像データを送信する場合について、予め発信元の通信端末３１に設定する（図３のステップＳ１）。確認モードとは、このモードで画像データを送信する場合、相手先から画像データの送信を要求するアクセスがあるまで画像データを送信せずに蓄積すると共に発信元のアクセス情報を含む画像データ取出情報を相手先に通知する処理が実行されるモードである。
【００２２】
ここでは、画像データの送信を重要送信か否かに分けて、重要送信だと確認モードとなりポーリングで送信し、そうでないと通常送信とする。重要送信については、発信元の通信端末３１の側（例えば管理者や操作者）で自由に決めることができる。本実施形態では、ダイヤル入力の種類により重要送信か否かの判断をしている。
【００２３】
詳しく説明すると、例えば、ある会社の支店に設置されたデジタル複合機１において、ワンタッチダイヤルや短縮ダイヤルに本社及び他の支店のＦＡＸ番号を登録している場合、これらのダイヤルを間違えても画像データが送信されるのは同じ会社なので、通常、問題はない。そこで、宛先の入力が直接ダイヤル入力であると重要送信と扱い、ワンタッチダイヤル入力や短縮ダイヤル入力であると重要送信と扱わないようにする。
【００２４】
次に、送信すべき原稿が発信元の通信端末３１の原稿台（ガラス面）又は原稿自動送り装置に操作者によりセットされる（ステップＳ３）。操作部１１のキーを用いて相手先の宛先が入力される（ステップＳ５）。宛先とは、公衆電話回線Ｌを利用してファクシミリ送信する場合、相手先のＦＡＸ番号であり、インターネットを利用してファクシミリ送信する場合、相手先のアドレスである。アドレスはメールアドレスでもよいし、ＩＰアドレスでもよい。
【００２５】
ここでは、ＦＡＸ番号が操作入力される。この入力は、テンキーを押す直接ダイヤル入力、短縮キーを押す短縮ダイヤル入力、ワンタッチキーを押すワンタッチダイヤル入力のいずれでもよい。
【００２６】
操作者により、操作部１１のスタートキーが押される（ステップＳ７）。但し、ワンタッチダイヤル入力をすると、スタートキーの操作が不要な機種もある。そのような機種ではステップＳ７は省略される。
【００２７】
発信元の通信端末３１で重要送信か否か判断される（ステップＳ９）。ステップＳ５の宛先入力が「直接ダイヤル入力」であれば、重要送信と判断されてステップＳ１１に進む。これに対して「直接ダイヤル入力」でなければ、通常送信の処理がされる（ステップＳ１３）。
【００２８】
ステップＳ１１の処理を説明する。画像読取部５はセットされた原稿を読み取りその原稿の画像データを生成する。画像データは、相手先の通信端末３３へ送信されずに発信元の通信端末３１の画像メモリ２１に蓄積される。
【００２９】
また、発信元の通信端末３１は、画像データ取出情報を生成する。図５は、画像データ取出情報の一例を示す図である。画像データ取出情報は、相手先にポーリングで送信する旨及び発信元のアクセス情報を含む。アクセス情報は、公衆電話回線Ｌを利用してファクシミリ送信する場合、発信元のＦＡＸ番号であり、インターネットを利用してファクシミリ送信する場合、発信元のアドレスである。
【００３０】
なお、Ｆコード通信の場合、画像データ取出情報には、発信元のＦＡＸ番号に加えて、発信元の通信端末３１に設定されたサブアドレスが含まれ、パスワードが設定されているとさらにパスワードも含まれる。Ｆコード通信とは、ＩＴＵ−Ｔ（国際電気通信連合）の企画に従ったサブアドレスやパスワードを利用する通信である。サブアドレスやパスワードが登録されたＦコードボックスを作成することで、メーカーや機種を問わずに、親展通信、掲示板通信や中継指示通信を実現できる。
【００３１】
サブアドレスは、メモリに設定されたさまざまなＦコードボックスを区別するために必ず設定されるものである。パスワードは、これを入力しなければサブアドレスが分かっても画像データにアクセスできない鍵であり、必要に応じて設定される。
【００３２】
相手先が画像データの取り出し方を知らないこともあるので、図５に示す画像データ取出情報に、画像データの取り出し方の説明を含めてもよい。例えば、次の説明を含める。
画像データの取り出し方は以下の通りです。
１．ＦＡＸ画面に切り替えて下さい。
２．メニューキーを押して下さい。
３．カーソルキーを押してポーリングを選択して下さい。
４．セット（決定）キーを押して下さい。
５．発信元のＦＡＸ番号を入力して下さい。
６．スタートキーを押して下さい。
【００３３】
発信元の通信端末３１は、公衆電話回線Ｌを利用したファクシミリ送信により、画像データ取出情報を相手先の通信端末３３に通知する（ステップＳ１５）。相手先の通信端末３３で画像データ取出情報が出力される。紙に印刷して出力してもよいし、画面に表示して出力してもよい。
【００３４】
発信元の通信端末３１は、画像データ取出情報の通知後、画像データの送信を要求するアクセスがあるか判断する（図４のステップＴ１）。つまりポーリングされているか判断する。アクセスがあると、アクセスしてきた通信端末が相手先の通信端末３３か確認をする（ステップＴ３）。
【００３５】
アクセスしてきた通信端末のＦＡＸ番号が相手先の通信端末３３のＦＡＸ番号と一致すれば、アクセスしてきた通信端末は相手先の通信端末３３と確認することができる。アクセスしてきた通信端末のＦＡＸ番号は、発信元情報通知機能（ナンバーディスプレイ機能）により取得することができる。
【００３６】
上記確認には、アクセスしてきた通信端末と発信元の通信端末３１との間でのＦＡＸ通信手順で取得したリモートＩＤを利用することもできる。リモートＩＤは、ファクシミリ装置同士で通信する際に自分の情報として相手方に送るファクシミリ装置の名前であり、自分のＦＡＸ番号を登録することが多いからである。
【００３７】
Ｆコード通信の場合、アクセスしてきた通信端末から発信元の通信端末３１にサブアドレスやパスワードが送られるので、これらを上記確認に利用してもよい。また、これら及びアクセスしてきた通信端末のＦＡＸ番号を利用してもよい。
【００３８】
アクセスしてきた通信端末が相手先の通信端末３３であると確認されると、発信元の通信端末３１において、画像メモリ２１に蓄積された画像データを相手先の通信端末３３に送信することが許可される（ステップＴ５）。これにより、発信元の通信端末３１から相手先の通信端末３３に画像データの送信が開始される（送信中の別のジョブがあればその終了を待って送信開始される）。一方、アクセスしてきた通信端末が相手先の通信端末３３でない場合、画像データの送信処理が中断される（ステップＴ７）。これにより、間違った宛先に画像データが送信されるのを防ぐことができる。
【００３９】
以上のように、本実施形態に係る通信端末装置である発信元の通信端末３１は、重要送信をする場合に確認モードとし、画像データ送信前に相手先に画像データ取出情報を通知する。発信元の通信端末３１は、通知後にポーリングで画像データの送信を要求するアクセスをしてきた通信端末が相手先か確認してから相手先に画像データを送信する。したがって、相手先に新たなシステムを導入させることなく、画像データが間違った宛先に送信するのを防ぐことができ、一方、ユーザは通常の送信操作と同様の操作をするだけでよい。
【００４０】
また、発信元の通信端末３１は、重要送信の場合（確認モードで相手先に画像データを送信する場合）を予め設定し、そして相手先への画像データの送信がそれに該当するか判断し、該当すると画像データ取出情報を相手先に通知する。この情報には、ポーリングで画像データを送信する旨及び発信元の通信端末３１のＦＡＸ番号が含まれる。
【００４１】
したがって、発信元の通信端末３１の操作者がどのような場合に重要送信されるか知らなくても、相手先に画像データを送信することができる。そして、操作者自身がポーリングを意識しないでポーリングを選択的に利用できる。また、相手先には画像データ取出情報を通知するだけなので、相手先に新たなシステムを導入させる必要がない。
【００４２】
本実施形態において、重要送信と判断された場合、確認モードとなり、ポーリングを利用して送信をする。ポーリングでは受信側である相手先が電話料金を負担しなければならないので、相手先によってはポーリングを利用したくない場合がある。そこで、このような相手先の宛先（ここではＦＡＸ番号）を予め発信元の通信端末３１に登録しておき、重要送信と判断しても予め登録された宛先には確認モードを適用せず、画像データ取出情報を通知しないようにしてもよい。
【００４３】
これは、ステップＳ１において、確認モードを利用しない相手先の宛先を予め発信元の通信端末３１に設定し、ステップＳ９とステップＳ１１との間に「ステップＳ５で入力された宛先は、確認モードを利用しない宛先？」を判断するステップを設けることにより実現できる。
【００４４】
本実施形態において、ダイヤル入力の種類により重要送信か否かの判断をしているが、これ以外に例えば、次の基準で重要送信の判断をしてもよい。
（１）予め登録された相手先に画像データを送信する場合を重要送信とする。
（２）画像データを相手先に送信する時刻により、重要送信か否か判断する。この場合、ステップＳ７でスタートキーを押した時刻をもとにして判断される。
（３）送信時の画質の設定により、重要送信か否か判断する。例えは、高画質に設定して画像データを送信する場合に重要送信と判断する。
（４）送信する原稿の内容により、重要送信か否か判断する。例えば、ＯＣＲにより原稿中に特定情報や文字が認識された場合に重要送信と判断する。
【００４５】
なお、ダイヤル入力の種類、上記（１）〜（４）を組み合わせて、重要送信か否かの判断をしてもよい。
【００４６】
本実施形態において、公衆電話回線Ｌを利用したファクシミリ通信で画像データ取出情報を相手先に通知しているが、画像データを電子メールで送信しようとする場合は、画像データ取出情報を電子メールで通知することができる。画像データ取出情報はテキスト形式で電子メールの本文中に記載してもよいし、添付ファイルの形式で電子メールに添付してもよい。発信元の通信端末３１と相手先の通信端末３３とのＰ２ＰでＩＰ通信により、画像データを送信しようとする場合は、ＩＰ通信で画像データ取出情報を通知してもよい。
【００４７】
本実施形態では、送信許可されれば（ステップＴ５）、相手先への送信を開始しているが、送信許可された送信ジョブをためておき、指定された時刻になれば相手先へ送信するようにしてもよい。これによれば、通信費が割安な夜間に画像データを送信することができる。これは、ステップＴ５の後に「指定時刻？」という判断のステップを設ければ実現できる。
【００４８】
次に、本実施形態に係る通信端末装置の機能ブロックを説明する。図６はこれを説明する図である。通信端末装置３１の設定手段３５は、確認モードに設定する。判断手段３７は、送信指示が入力された場合に設定手段３５で確認モードに設定されているか否かを判断する。送信指示の入力とは、例えば図３のステップＳ７で説明したスタートキーの操作である。
【００４９】
蓄積手段３９は、判断手段３７で確認モードに設定されていると判断された場合（つまり、確認モードで画像データを送信する場合）、送信指示が入力された後、相手先から画像データの送信を要求するアクセスがあるまで画像データを送信せずに蓄積する。通知手段４１は、判断手段３７で確認モードに設定されていると判断された場合（つまり、確認モードで画像データを送信する場合）、送信指示が入力された後、発信元のアクセス情報を含む画像データ取出情報を相手先に通知する。
【００５０】
画像データ取出情報は、画像データの内容を含まない。画像データ取出情報は、送信の宛先として指定された相手先のみに通知され、他の相手先に通知されない。なお、判断手段３７で確認モードに設定されていると判断された場合でも、送信の宛先として指定された相手先が確認モードの適用外として予め登録された相手先であるときは、確認モードを適用せず、画像データ取出情報を通知しない通知手段４１でもよい。
【００５１】
確認手段４３は、通知手段４１で画像データ取出情報を通知した後に画像データの送信を要求するアクセス（ポーリング）をしてきた通信端末が相手先であるかを確認する。許可手段４５は、確認手段４３で相手先であると確認されると蓄積手段３９に蓄積された画像データを相手先に送信するのを許可する。なお、確認モードに設定されていないと(つまり、通常モードに設定されていると)判断手段３７が判断した場合、送信指示が入力されることにより、許可手段４５は画像データを相手先に送信するのを許可する。
【００５２】
設定手段３５の機能は、制御部３、操作部１１、ＲＯＭ１７及びＲＡＭ１９等により実現される。判断手段３７、確認手段４３や許可手段４５の機能は、制御部３、ＲＯＭ１７及びＲＡＭ１９等により実現される。蓄積手段３９の機能は、制御部３、ＲＯＭ１７、ＲＡＭ１９及び画像メモリ２１等により実現される。通知手段４１の機能は、制御部３、モデム１３、ＮＣＵ１５及びＬＡＮインターフェース２５等により実現される。
【図面の簡単な説明】
【００５３】
【図１】本実施形態に係るデジタル複合機の構成を示すブロック図である。
【図２】本実施形態に係る通信に使用される端末どうしの関係を示す図である。
【図３】本実施形態に係る通信端末装置の動作の一例を説明するフローチャートである（前半）。
【図４】本実施形態に係る通信端末装置の動作の一例を説明するフローチャートである（後半）。
【図５】画像データ取出情報の一例を示す図である。
【図６】本実施形態に係る通信端末装置の機能ブロック図である。
【符号の説明】
【００５４】
１・・・デジタル複合機、３・・・制御部、５・・・画像読取部、７・・・画像記録部、９・・・表示部、１１・・・操作部、１３・・・モデム、１５・・・ＮＣＵ、１７・・・ＲＯＭ、１９・・・ＲＡＭ、２１・・・画像メモリ、２３・・・コーデック、２５・・・ＬＡＮインターフェース、２７・・・バス、３１・・・発信元の通信端末、３３・・・相手先の通信端末、３５・・・設定手段、３７・・・判断手段、３９・・・蓄積手段、４１・・・通知手段、４３・・・確認手段、４５・・・許可手段、Ｌ・・・公衆電話回線
【図１】
2007110591.tif 000003
【図２】
2007110591.tif 000004
【図３】
2007110591.tif 000005
【図４】
2007110591.tif 000006
【図５】
2007110591.tif 000007
【図６】
2007110591.tif 000008